(57)【要約】【課題】荷物の移動を円滑に行いつつ、車両の駐車スペースの有効利用を図ることのできる建物の床下収納装置を提供する。【解決手段】建物１０は、キッチン１１及びガレージ１２を少なくとも備えている。キッチン１１の床下スペース２４には床下収納装置２５が設けられている。床下収納装置２５は移動可能な収納容器３０を備えている。そして、キッチン１１側では床材２１に形成された床側開口部２６を介して、収納容器３０内に収納物を出し入れすることが可能となっている。また、ガレージ１２側では壁側開口部２８を介して床下スペース２４内からガレージ１２側に収納容器３０を引き出し、その収納容器３０内に収納物を出し入れし、収納容器３０に収納物を出し入れした後は、引き出した収納容器３０を床下スペース２４に戻すことが可能となっている。【選択図】図１
2009174194.tif 000002
【特許請求の範囲】
【請求項１】
屋内スペースの下面を形成する床部及びその床部の周囲に立設された側壁部によって囲まれた床下スペース内に配置される収納容器と、
前記側壁部に形成され、当該側壁部を挟んで前記屋内スペースに隣接して設定される駐車スペースへ向けて開口する壁側開口部と、
前記収納容器を前記床下スペース内の所定位置と前記駐車スペース側へ少なくとも一部が突出する位置との間で移動可能にガイドするガイド部と、
を備えることを特徴とする建物の床下収納装置。
【請求項２】
前記壁側開口部を開閉する開閉手段を備える請求項１に記載の建物の床下収納装置。
【請求項３】
前記ガイド部は、
前記床下スペース内において前記収納容器をガイドする第１レール部と、
前記壁側開口部から前記駐車スペースへ突出して前記第１レール部に連続したガイド経路を形成し、前記第１レール部とともに前記収納容器を、前記床下スペース内の所定位置と前記駐車スペース側へ少なくとも一部が突出する位置との間でガイドする状態と、前記駐車スペースから退避した状態とに姿勢変更可能とされている第２レール部と、
を備える請求項１又は２に記載の建物の床下収納装置。
【請求項４】
前記床部には前記屋内スペースと前記床下スペースとを連通する床側開口部が形成されており、前記ガイド部は前記床側開口部の下方に前記収納容器を至らせるガイド経路を有している請求項１から３のいずれか１項に記載の建物の床下収納装置。
【請求項５】
前記収納容器を移動させるべく駆動する駆動部と、
前記駐車スペースにおいて前記壁側開口部に接近する接近物を検出する検出手段と、
前記検出手段により接近物が検出された場合には、前記駆動部による前記収納容器の駆動を制御することにより、前記収納容器を前記床下スペース内に待機させ又は移動させる駆動制御手段と、
を備える請求項１から４のいずれか１項に記載の建物の床下収納装置。
【請求項６】
前記壁側開口部を開閉する扉部と、
前記扉部を施解錠する施解錠部と、
前記扉部の解錠要求を受け付ける受付手段と、
前記解錠要求が予め許可された者によるものか否かを判定する判定手段と、
前記受付手段により前記解錠要求が受け付けられ、かつ前記判定手段により前記解錠要求が予め許可された者によるものであると判定された場合には、前記施解錠部により前記扉部を解錠させる解錠制御手段と、
を備える請求項１から５のいずれか１項に記載の建物の床下収納装置。
【発明の詳細な説明】
【技術分野】
【０００１】
本発明は、建物の床下収納装置に関する。
【背景技術】
【０００２】
建物において、その屋内スペースの床に設けた開口（以下「床開口」という）を介し、床下に格納された収納容器内に収納物を出し入れする床下収納装置が知られている。このような床下収納装置では、収納容器内の収納物を屋外に運び出す際には、収納容器内の収納物を取り出し、取り出した収納物を屋外へ運ぶ必要がある。また、屋外にある収納物を収納容器に収容する際には、屋外にある収納物を建物内へ運び入れ、運び入れた収納物を収納容器に収容する必要がある。
【０００３】
そこで、建物の床及び外壁に仕切られた床下スペース内に収納容器を格納し、建物の床に床開口を設けるとともに、建物の外壁にも床下スペースに連通する開口（以下「壁開口」という）を設け、屋外において壁開口を介して収納容器内に収納物を出し入れ可能とされた床下収納装置が提案されている（例えば、特許文献１参照）。
【特許文献１】特開平７−２９２９５５号公報
【発明の開示】
【発明が解決しようとする課題】
【０００４】
しかしながら、特許文献１に記載の床下収納装置では、いくつかの収納容器のうちいずれかは常に屋外に存在していることから、収納容器が風雨に曝されることを防ぐべく、屋外に移動した収納容器を覆う保護ボックスが屋外に固定されている。そのため、屋外の壁開口周辺の空間を利用する際に保護ボックスが邪魔となり、同空間を有効に利用することができない。
【０００５】
本発明は、特に車両によって建物へ持ち込まれ又は建物から車両へ持ち込まれる荷物の移動が困難である点に着目してなされたものであり、このような荷物の移動を円滑に行いつつ、車両の駐車スペースの有効利用を図ることのできる建物の床下収納装置を提供することを主たる目的とするものである。
【課題を解決するための手段】
【０００６】
本発明は、上記課題を解決するために、以下の手段を採用した。
【０００７】
第１の発明は、屋内スペースの下面を形成する床部及びその床部の周囲に立設された側壁部によって囲まれた床下スペース内に配置される収納容器と、側壁部に形成され、当該側壁部を挟んで屋内スペースに隣接して設定される駐車スペースへ向けて開口する壁側開口部と、収納容器を床下スペース内の所定位置と駐車スペース側へ少なくとも一部が突出する位置との間で移動可能にガイドするガイド部と、を備える。
【０００８】
第１の発明によれば、駐車スペース側へ少なくとも一部が突出する位置に収納容器を移動させることにより、駐車スペースにおいて収納容器内に収納物を出し入れすることができる。そして、駐車スペースにおいて収納容器内に収納物を出し入れした後は、駐車スペース側へ少なくとも一部が突出する位置に移動させた収納容器を床下スペース内の所定位置に戻すことができる。すなわち、駐車スペースにおいて収納容器内に収納物を出し入れする期間を除いて、収納容器を床下スペース内に格納することができる。そのため、収納容器が駐車スペースに露出することを防ぐべく、収納容器を覆う収納庫を駐車スペース内の壁側開口部周辺の領域に設ける必要がない。これにより、駐車スペース内の壁側開口部周辺の領域を有効利用することができる。特に、車両が入出庫する際に収納容器が邪魔になったり収納容器に衝突したりする可能性を低減することができる利点がある。
【０００９】
第２の発明は、第１の発明において、壁側開口部を開閉する開閉手段を備える。壁側開口部が開放されたままの状態では防犯の観点から好ましくないが、開閉手段を備えていることにより、収納容器を床下スペースに収納した状態で壁側開口部を閉鎖することができる。
【００１０】
また、壁側開口部が開放された状態では、駐車スペースに停められた車両から排出される排気や駐車スペース内の埃などが壁側開口部から床下スペース内に入り込む可能性がある。その結果、床下スペースに収納容器を格納したとしても、床下スペースに入り込んだ排気や埃などで収納容器内の収納物や収納容器それ自体が汚れることとなる。そこで、開閉手段の閉鎖状態において一定の気密性を保持するように構成すれば、壁側開口部を介して車両の排気や駐車スペース内の埃が床下スペース側へ入り込むのを抑制することができる。
【００１１】
なお、開閉手段としては、具体的には、引き戸や開き戸、シャッタ等の扉を採用することができる。また、収納容器の側壁を開閉手段として機能させてもよい。
【００１２】
第３の発明では、第１又は第２の発明において、ガイド部は、床下スペース内において収納容器をガイドする第１レール部と、壁側開口部から駐車スペースへ突出して第１レール部に連続したガイド経路を形成し、第１レール部とともに収納容器を、床下スペース内の所定位置と駐車スペース側へ少なくとも一部が突出する位置との間でガイドする状態と、駐車スペースから退避した状態とに姿勢変更可能とされている第２レール部と、を備える。
【００１３】
この第３の発明によれば、第２レール部を壁側開口部から駐車スペースへ突出させて、第１レール部及び第２レール部によって連続したガイド経路を形成することにより、そのガイド経路に沿って床下スペース内の所定位置と駐車スペース側へ少なくとも一部が突出する位置との間で収納容器を移動させることができる。また、第２レール部を駐車スペースから退避させることにより、駐車スペースを利用する際に第２レール部が邪魔になることがない。これにより、駐車スペース内の壁側開口部周辺の領域を有効に利用することができる。
【００１４】
なお、第３の発明では、第２レール部に第２の発明における開閉手段としての扉を設けて、第２レール部が壁側開口部から駐車スペースへ突出する状態で壁側開口部が前記扉によって開放され、第２レール部が駐車スペースから退避した状態で壁側開口部が前記扉によって閉鎖されるようにすると、壁側開口部の開閉と第２レール部の移動とを連動させることができて一層好ましい。
【００１５】
第４の発明では、第１から第３のいずれかの発明において、床部には屋内スペースと床下スペースとを連通する床側開口部が形成されており、ガイド部は床側開口部の下方に収納容器を至らせるガイド経路を有している。この第４の発明によれば、壁側開口部に加え床側開口部を介して、収納容器内に収納物を出し入れすることができる。したがって、駐車スペースに停止された車両と屋内スペースとの間の荷物のやりとりが容易になり、特に重量物のやりとりに好適なものとなる。
【００１６】
第５の発明では、第１から第４のいずれかの発明において、収納容器を移動させるべく駆動する駆動部と、駐車スペースにおいて壁側開口部に接近する接近物を検出する検出手段と、検出手段により接近物が検出された場合には、駆動部による収納容器の駆動を制御することにより、収納容器を床下スペース内に待機させ又は移動させる駆動制御手段と、を備える。
【００１７】
この第５の発明によれば、壁側開口部に接近する接近物が検出されると、収納容器が床下スペース内に待機又は移動する。これにより、駐車スペースに進入した車両などの接近物と収納容器との衝突を自動的に回避することができる。したがって、特に駐車スペースが付属車庫によって構成されている場合のように、駐車スペースの広さに余裕がない建物に適用すると一層効果的なものとなる。
【００１８】
第６の発明では、第１から第５のいずれかの発明において、壁側開口部を開閉する扉部と、扉部を施解錠する施解錠部と、扉部の解錠要求を受け付ける受付手段と、解錠要求が予め許可された者によるものか否かを判定する判定手段と、前記受付手段により前記解錠要求が受け付けられ、かつ前記判定手段により前記解錠要求が予め許可された者によるものであると判定された場合には、前記施解錠部により前記扉部を解錠させる解錠制御手段と、を備える。
【００１９】
この第６の発明によれば、解錠要求をした者が例えば居住者のように予め許可された者でない場合（例えば建物内に侵入した不審者である場合）、扉部は解錠されない。これにより、予め許可された者以外の者による収納物の持ち出しや不審者による収納容器内への異物の投入などを抑制して、防犯性能を高めることができる。なお、扉部としては、具体的には、引き戸や開き戸やシャッタ等を採用することができる。
【発明を実施するための最良の形態】
【００２０】
（第１実施形態）
まず、第１実施形態の建物の概略構成について、図１乃至図３を参照しつつ説明する。なお、図１は建物の概略構成を示す縦断面図、図２は同平面図、図３は同斜視図である。
【００２１】
本実施形態の建物１０は、屋内スペースであるキッチン１１及び駐車スペースであるガレージ１２を備える車庫付きの建物である。キッチン１１及びガレージ１２の間には、空間を仕切る側壁部（仕切り壁）として内壁１３が設けられている。内壁１３は、基礎１４の立ち上がり部１４ａ、木土台１５、下地材１６、面材１７，１８及び断熱材１９を有して構成されている。詳しくは、基礎１４は、周知の鉄筋コンクリート造の布基礎である。基礎１４の立ち上がり部１４ａの天端には木土台１５が取り付けられており、その木土台１５の上には柱を含む下地材１６が立設されている。下地材１６のキッチン１１側及びガレージ１２側にはそれぞれ壁面を形成する面材１７，１８が固定されている。これら面材１７，１８間にはグラスウール等で構成された断熱材１９が介在されている。以上のように内壁１３が構成されている。すなわち、本明細書では基礎１４の立ち上がり部１４ａを含めて内壁１３と称している。
【００２２】
木土台１５には複数の大引き２０が水平方向に延びるように架け渡されており、これらの大引き２０上に床材２１が設けられている。隣り合う大引き２０の間には、グラスウール等で構成された断熱材２２が設けられている。このように構成されたキッチン１１の床の下には、コンクリートが打設される等して土間材２３が形成されている。
【００２３】
内壁１３、床材２１及び土間材２３に囲まれた床下スペース２４内には、床下収納装置２５が設けられている。詳しくは、キッチン１１の床材２１には、キッチン１１と床下スペース２４とを連通するように上下方向へ開口する床側開口部２６が形成されており、その床側開口部２６を開閉する扉２７が設けられている。扉２７は上方、すなわちキッチン１１側へ開放されるものである。内壁１３には、床下スペース２４とガレージ１２とを連通するように側方へ開口する壁側開口部２８が形成されており、その壁側開口部２８を開閉する扉２９（図２参照）が設けられている。床下スペース２４内には、有底かつ上方に開口した箱状の収納容器３０と、その収納容器３０を保持しつつ案内する１組のガイドレール３１（図２参照）とが設けられている。１組のガイドレール３１は、それぞれ土間材２３上に設置された複数本の束３２により下支えされており、床側開口部２６の下方から壁側開口部２８に向かって延びている。なお、束３２は上下方向への高さ調節が可能であり、この高さ調節によってガイドレール３１の高さや傾斜が設定される。
【００２４】
次に、図４乃至図７を参照しつつ、床下収納装置２５の構成を詳細に説明する。なお、図４は床下収納装置２５の縦断面図、図５はガイドレール３１の斜視図、図６は壁側開口部２８周辺のガイドレール３１を示す平面図、図７はガイドレール３１の側面図である。
【００２５】
図４に示すように、１組のガイドレール３１は、収納容器３０の両側において平行に延びかつ長手方向に延びる溝部３１ａが形成されたＣ型鋼である。１組のガイドレール３１は、溝部３１ａが互いに向かい合うように配置されている。収納容器３０には、両ガイドレール３１の溝部３１ａ内に至るとともに当該溝部３１ａの側面上にて転動可能な車輪３３が設けられている。これにより、収納容器３０は、１組のガイドレール３１により保持されつつ、ガイドレール３１に沿って移動可能となっている。
【００２６】
図５に示すように、各ガイドレール３１は、詳細には束３２によって土間材２３（図１参照）の上方位置に固定された固定レール４０と、その固定レール４０に連結された可動レール５０とによって構成されている。束３２はＬ型の受台３５を有しており、受台３５と固定レール４０のウェブ部４１とがボルト等により締結されている。
【００２７】
固定レール４０のうち壁側開口部２８側の先端部分４０ａには、可動レール５０が回動自在に結合されている。詳しくは、可動レール５０の溝部５４の溝幅Ｗ１は、固定レール４０のウェブ部４１の幅（ウェブ幅）Ｗ２よりも僅かに大きくなっている。固定レール４０における壁側開口部２８側の先端部分４０ａでは、その上側フランジ部４２及び下側フランジ部４３に厚み方向（上下方向）へ貫通するリベット穴が形成されている。これらのリベット穴は同軸となっている。一方、可動レール５０の中間部分の上側フランジ部５２及び下側フランジ部５３にも、それらの厚み方向に貫通するリベット穴が形成されている。これらのリベット穴は同軸となっている。そして、固定レール４０の上側フランジ部４２に形成されたリベット穴と可動レール５０の上側フランジ部５２に形成されたリベット穴とに対してリベット６０が挿入され、固定レール４０の下側フランジ部４３に形成されたリベット穴と可動レール５０の下側フランジ部５３に形成されたリベット穴にと対してリベット６１が挿入され、固定レール４０及び可動レール５０がピン結合されている。このピン結合によって、可動レール５０は、固定レール４０の壁側開口部２８側の先端部分４０ａに結合され、リベット６０，６１を中心に回動自在となっている。
【００２８】
ここで、固定レール４０の長手方向と可動レール５０の長手方向とがなす角度を減少させる側に可動レール５０を回動させてゆくと、可動レール５０が受台３５と接触することが考えられる。そこで、可動レール５０のウェブ部５１及び下側フランジ部５３には、切り欠き部５５が形成されている。この切り欠き部５５は、束３２の受台３５に対応する部分（固定レール４０及び可動レール５０の長手方向が一致する角度となった状態において可動レール５０が受台３５に接触すると考えられる部分）に、受台３５よりも一回り大きく形成されている。これにより、可動レール５０は、固定レール４０及び可動レール５０の長手方向が一致する角度（図５（ａ）参照）まで回動することができる。一方、固定レール４０及び可動レール５０の長手方向がなす角度を増大させる側に可動レール５０を回動させてゆくと、固定レール４０及び可動レール５０の長手方向が直交する角度（図５（ｂ）参照）にて、固定レール４０の先端が可動レール５０のウェブ部５１に当接する。そのため、可動レール５０の回動範囲は、固定レール４０及び可動レール５０の長手方向が一致する角度（図５（ａ）参照）と、固定レール４０及び可動レール５０の長手方向が直交する角度（図５（ｂ）参照）との間である。
【００２９】
可動レール５０は、固定レール４０及び可動レール５０の長手方向が一致する角度となった状態では、その一部が床下スペース２４からガレージ１２側に突出するようになっている（図６（ａ）参照）。これにより、収納容器３０を可動レール５０により案内させつつ、収納容器３０を床下スペース２４からガレージ１２側に引き出すことができる。一方、固定レール４０及び可動レール５０の長手方向が直交する角度となった状態では、可動レール５０は床下スペース２４内に格納されるようになっている（図６（ｂ）参照）。
【００３０】
可動レール５０の先端にはストッパ５６が形成されている。ストッパ５６は、可動レール５０を構成するＣ型鋼の先端部分において、上側フランジ部５２及び下側フランジ部５３を除去し、これによりウェブ部５１を突出させ、突出したウェブ部５１をフランジ部５２，５３と同一の向きに曲げることにより形成されている。これにより、収納容器３０が可動レール５０から脱落することを防止することができる。なお、固定レール４０における床側開口部２６側の先端部分４０ｂにも同様のストッパ４６が形成されている（図７参照）。
【００３１】
図６に示すように、可動レール５０うち、固定レール４０及び可動レール５０の長手方向が一致する角度となった状態において床下スペース２４内からガレージ１２側に突出する部分には、上述した扉２９が取り付けられている。扉２９は可動レール５０のウェブ面５７に対し例えばビス等によって固定されている。これにより、扉２９を開くと可動レール５０が床下スペース２４からガレージ１２側に突出し、その一方、扉２９を閉じると可動レール５０が床下スペース２４内に格納される。
【００３２】
図７に示すように、固定レール４０は、水平面に対して床側開口部２６（図１参照）側へ斜め下向きに傾斜した状態で束３２に保持されている。固定レール４０の下側フランジ部４３上には、車輪３３の転動面を構成する板材６３が設けられている。板材６３は長尺状であり、その長さは固定レール４０の長さと概ね同一となっており、その幅は固定レール４０の下側フランジ部４３の幅と概ね同一となっている。板材６３は、固定レール４０の床側開口部２６側の先端部分４０ｂにおいて、ばね等の弾性体６４により上方へ付勢されている。弾性体６４は、板材６３が収納容器３０から受ける荷重に応じて伸縮する。これにより、板材６３は、固定レール４０の下側フランジ部４３に対して壁側開口部２８側へ斜め下向きに傾斜し、その傾斜角度は収納容器３０（図１参照）内に収納された収納物の重量に応じて変化する。
【００３３】
ここで、上述した固定レール４０の水平面に対する傾きは、収納容器３０内の収納物の重量が所定値以下となった場合、すなわち弾性体６４の伸縮方向の長さが所定値以上になった場合には、図７（ａ）に示すように板材６３が水平面に対して壁側開口部２８側へ下方に傾斜し、収納容器３０内の収納物の重量が所定値よりも大きくなった場合、すなわち弾性体６４の伸縮方向の長さが所定値よりも短くなった場合には、図７（ｂ）に示すように板材６３が水平面に対して床側開口部２６側へ下方に傾斜するように設定されている。
【００３４】
そのため、車輪３３は、収納容器３０内の収納物の重量が所定値以下となると、板材６３上を転動しながら壁側開口部２８側に移動停止する。一方、収納容器３０内の収納物の重量が所定値よりも大きくなると、車輪３３は、板材６３上を転動しながら床側開口部２６側に移動する。これにより、収納容器３０は、収納物の重量が所定値以下となると固定レール４０に沿って壁側開口部２８の近傍まで移動し、収納物の重量が所定値よりも大きくなると固定レール４０に沿って床側開口部２６の下方まで移動する。すなわち、床下収納装置２５では、収納容器３０内の収納物の重量に応じて、収納容器３０が壁側開口部２８の近傍又は床側開口部２６の下部に自動的に移動するようになっている。
【００３５】
以上のように構成されたガイドレール３１では、固定レール４０のウェブ部４１、上側フランジ部４２及び板材６３に囲まれた空間と、可動レール５０のウェブ部５１、上側フランジ部５２及び下側フランジ部５３に囲まれた空間とが上述した溝部３１ａ（図４参照）に相当する。
【００３６】
次に、床下収納装置２５において収納容器３０内に収納物を出し入れする作動について説明する。以下の説明では、当初、収納容器３０内には収納物が収められておらず、収納容器３０内は空になっていることを想定している。また、収納容器３０内の収納物に関する上記所定値は、０kg（すなわち収納物が存在しない状態）に設定されていることを想定している。
【００３７】
床下収納装置２５では、収納容器３０内に収納物が収められていない場合には、上述したように、収納容器３０は壁側開口部２８の近傍まで移動する。このとき、ガレージ１２において収納容器３０内に収納物を収納する際には、まず、ガレージ１２側の扉２９を開く。すると、可動レール５０が床下スペース２４からガレージ１２側に突出する。これにより、床下スペース２４内において壁側開口部２８の近傍に位置している収納容器３０を、可動レール５０により保持させつつ、可動レール５０に沿って床下スペース２４内からガレージ１２側に引き出すことができる（図３に実線で示す収納容器３０参照）。そして、引き出した収納容器３０内に収納物を収納することができる。
【００３８】
なお、収納容器３０が床下スペース２４内からガレージ１２側に引き出された状態では、収納容器３０が可動レール５０により保持されていることから、可動レール５０に取り付けられた扉２９を閉じることはできない。
【００３９】
ガレージ１２において収納容器３０内に収納物を収納した後に、収納容器３０を床下スペース２４内に戻すと、収納容器３０は固定レール４０により保持されることとなる。その結果、固定レール４０において、収納容器３０から受ける荷重によって弾性体６４が縮み、板材６３が床側開口部２６側へ下方に傾斜し、収納容器３０が床側開口部２６の下方まで移動する。これにより、キッチン１１において扉２７を開けて収納容器３０内に収納された収納物を取り出すことができる（図３に破線で示す収納容器３０参照）。
【００４０】
なお、収納容器３０を床下スペース２４内に戻すと、上述の如く収納容器３０が固定レール４０に保持されることから、可動レール５０に取り付けられたガレージ１２側の扉２９を閉じることができる。
【００４１】
ところで、キッチン１１において収納容器３０内から収納物を取り出している最中に、収納容器３０内に収納されている収納物の重量が小さくなり、意図せず収納容器３０が壁側開口部２８側へ移動することが考えられる。したがって、床側開口部２６の下方にある収納容器３０の移動を一時的に制限するロック機構を設けることが望ましい。例えば、ロック機構は、収納容器３０を固定レール４０や床材２１や大引き２０に一時的に留めるものでもよいし、弾性体６４の収縮を一時的に制限するものでもよい。
【００４２】
以上の構成により、以下に示す有利な効果が得られる。
【００４３】
ガレージ１２において収納容器３０内に収納物を出し入れする際には、収納容器３０を、床下スペース２４内から壁側開口部２８を介してガレージ１２側に引き出すことができるようにした。また、ガレージ１２において収納容器３０内に収納物を出し入れした後は、床下スペース２４内からガレージ１２側に引き出した収納容器３０を、壁側開口部２８を介して床下スペース２４内へ戻すことができるようにした。ここで、収納容器３０が床下スペース２４外に放置されると、収納容器３０内の収納物や収納容器３０それ自体が埃などによって汚れる。特に、収納容器３０がガレージ１２内に放置されると、ガレージ１２に停められた車両の排気やガレージ１２内の埃などで収納容器３０内の収納物などが汚れる。この点、上記構成によれば、ガレージ１２において収納容器３０内に収納物を出し入れする期間を除いて、収納容器３０を床下スペース２４内に格納することができる。これにより、収納容器３０がガレージ１２に露出することを防ぐべく、収納容器３０を覆う収納庫をガレージ１２内の壁側開口部２８周辺に設ける必要がない。そのため、ガレージ１２内の壁側開口部２８周辺の空間を有効利用することができる。
【００４４】
収納容器３０を床下スペース２４内からガレージ１２側に引き出す際や、床下スペース２４内からガレージ１２側に引き出した収納容器３０を床下スペース２４内に戻す際に、収納容器３０を可動レール５０により保持させつつ、その収納容器３０が可動レール５０に沿って移動するようにした。これにより、収納容器３０をガレージ１２側に引き出す際や収納容器３０を床下スペース２４内に戻す際に、収納容器３０内の収納物及び収納容器３０それ自体の重量を支える必要がないため、比較的小さな力で、収納容器３０を床下スペース２４内からガレージ１２側に引き出すことができ、引き出した収納容器３０を床下スペース２４内に戻すことができる。
【００４５】
ここで、ガイドレール３１が壁側開口部２８を介して床下スペース２４内からガレージ１２側に突出していると、そのガイドレール３１の突出部分がガレージ１２内の壁側開口部２８周辺の空間利用を妨げる。具体的には、車両のガレージ１２への入庫の邪魔になり得る。そこで、収納容器３０が床下スペース２４内に格納されている場合には、ガイドレール３１の突出部分に相当する可動レール５０を床下スペース２４内に格納できるようにした。これにより、ガレージ１２内の壁側開口部２８周辺の空間利用がガイドレール３１（ここでは可動レール５０）により妨げられることはない。
【００４６】
キッチン１１の床材２１に床側開口部２６を形成するとともに、内壁１３に壁側開口部２８を形成した。そして、収納容器３０を床下スペース２４内において床側開口部２６の下方に移動可能とするとともに、床下スペース２４内から壁側開口部２８を介してガレージ１２内へ移動可能とした。これにより、キッチン１１及びガレージ１２において収納容器３０内に収納物を出し入れすることができる。
【００４７】
ガレージ１２において収納容器３０内に収納物を収めて、収納容器３０を床下スペース２４内へ戻すと、収納容器３０が床側開口部２６の下方まで自動的に移動し、キッチン１１において収納容器３０から収納物を取り出せるようにした。これにより、ガレージ１２からキッチン１１へ荷物を運び入れる労力を軽減することができる。
【００４８】
（第２実施形態）
第２実施形態では建物用コントローラにより床下収納装置を制御するようにしている。以下、図８を参照しつつ説明するが、第１実施形態の構成要素と実質的に同一の構成要素には同一の符号を付して、それらの構成要素の説明を省略する。
【００４９】
図８に示すように、本実施形態による床下収納装置７０のガイドレール３１には、収納容器３０を移動させる容器駆動装置７１が設けられている。収納容器３０は、容器駆動装置７１の駆動力によりガイドレール３１に沿って移動する。容器駆動装置７１は、例えば車輪３３（図４参照）を積極的に回動させることにより収納容器３０を移動させる。なお、上述の如く収納容器３０は容器駆動装置７１の駆動力により移動されることから、第１実施形態の板材６３や弾性体６４（図７参照）を固定レール４０に設ける必要はない。
【００５０】
床下スペース２４内の壁側開口部２８周辺には、可動レール５０を回動させるレール駆動装置７２が設けられている。レール駆動装置７２は、電動機やその電動機の動力を可動レール５０まで伝達する動力伝達機構などから構成されている。
【００５１】
床側開口部２６の扉２７にはその扉２７を施解錠する施解錠装置７３が設けられている。壁側開口部２８の扉２９にはその扉２９を施解錠する施解錠装置７４が設けられている。これらの施解錠装置７３，７４は、建物用コントローラ７５の制御により施解錠される電動式の施解錠装置である。また、各施解錠装置７３，７４は、スマートキー７６との無線通信を可能とする通信部をそれぞれ備えている。
【００５２】
ここで、スマートキー７６は、建物１０の居住者に携帯される通信機である。スマートキー７６には、建物１０の居住者を特定する個人認識情報（以下「ＩＤ情報」という）が記憶されており、施解錠装置７３，７４から送信されるＩＤ要求に応じて、ＩＤ要求を送信した施解錠装置（施解錠装置７３又は施解錠装置７４）に対してＩＤ情報を送信するようになっている。このスマートキー７６と施解錠装置７３，７４との通信は、電磁誘導式の通信であり、その通信可能な距離は比較的短くなっている。そのため、施解錠装置７３によるＩＤ要求に応じてスマートキー７６から送信されたＩＤ情報が施解錠装置７４により受信されることはなく、また施解錠装置７４によるＩＤ要求に応じてスマートキー７６から送信されたＩＤ情報が施解錠装置７３により受信されることもない。
【００５３】
施解錠装置７３，７４には、施解錠要求を受け付ける操作部（例えば施錠ボタン及び解錠ボタン）が設けられている。この施解錠要求は、建物用コントローラ７５に送信される。なお、施解錠装置７３，７４によるＩＤ要求に応じてＩＤ情報を送信する装置は、スマートキー７６に限られず、例えば、携帯電話やＩＣタグやＩＣカードなどでもよい。
【００５４】
ガレージ１２には、同ガレージ１２内の車両８０を検出する車両センサ７７が設けられている。固定レール４０の床側開口部２６側の先端部分４０ｂには、床側開口部２６の下方の収納容器３０を検出する収納容器センサ７８が設けられている。可動レール５０の先端部分５０ａには、床下スペース２４からガレージ１２側へ引き出された収納容器３０を検出する収納容器センサ７９が設けられている。これらのセンサ７８，７９は、建物用コントローラ７５に接続されている。
【００５５】
建物用コントローラ７５は、例えばキッチン１１に設置されている。建物用コントローラ７５は、ＣＰＵやメモリ等を備えた周知のマイクロコンピュータを主体として構成された制御装置である。コントローラ７５は、上述した各種センサから出力される検出信号やスマートキー７６から送信されたＩＤ情報に基づいて、床下収納装置７０の各部を制御する。
【００５６】
ところで、建物１０内に侵入した不審者により施解錠装置７３，７４が容易に解錠可能であるとすると、収納容器３０内に収納された収納物が不審者により持ち出されたり、収納容器３０内に異物を投入されたりするおそれがある。そこで、本実施形態では、防犯の観点から、建物１０の居住者による施解錠装置７３，７４の解錠要求のみを受け付け、不審者による施解錠装置７３，７４の解錠要求を受け付けないようにしている。
【００５７】
また、収納容器３０を、壁側開口部２８を介して床下スペース２４内からガレージ１２側に引き出し、ガレージ１２において収納容器３０内に収納物を出し入れした後に、収納容器３０を床下スペース２４内に戻すことを忘れることが考えられる。この場合、ガレージ１２内に進入してきた車両が収納容器３０や可動レール５０に衝突するおそれがある。そこで、本実施形態では、車両と収納容器３０及び可動レール５０との衝突回避の観点から、ガレージ１２内に車両が進入すると、収納容器３０の位置を検出し、収納容器３０が床下スペース２４内からガレージ１２側に引き出されている場合には、引き出されている収納容器３０を床下スペース２４内に退避させるようにしている。
【００５８】
次に、上述した施解錠装置７３，７４の解錠処理及び収納容器３０の退避処理について図９及び図１０を参照しつつ詳しく説明する。図９は施解錠装置７３，４３の解錠処理を実施するためのプログラムの流れを示すフローチャートである。図１０は収納容器３０の退避処理を実施するためのプログラムの流れを示すフローチャートである。これらのプログラムは、コントローラ７５により例えば周期的に実行される。
【００５９】
（施解錠装置の解錠処理）
図９に示すステップＳ１０では、コントローラ７５は、施解錠装置７３，７４における解錠要求の有無を判定する。そして、コントローラ７５は、施解錠装置７３又は施解錠装置７４における解錠要求があると判定した場合にはステップＳ１１の処理に進み、施解錠装置７３，７４における解錠要求がないと判定した場合には今回のプログラムの実行を終了する。
【００６０】
ステップＳ１１では、コントローラ７５は、解錠要求が建物１０の居住者によるものか否かを判定する。詳しくは、解錠要求を受け付けた施解錠装置（施解錠装置７３又は施解錠装置７４）は、スマートキー７６からＩＤ情報を受信し、そのＩＤ情報をコントローラ７５に送信する。コントローラ７５には、建物１０の居住者全員のＩＤ情報が予め登録されている。コントローラ７５は、同コントローラ７５に登録されているＩＤ情報と、スマートキー７６から送信されたＩＤ情報とを照合し、施解錠装置における解錠要求が建物１０の居住者によるものか否かを判定する。そして、コントローラ７５は、施解錠装置における解錠要求が建物１０の居住者によるものであると判定した場合にはステップＳ１２の処理に進む。一方、施解錠装置における解錠要求が建物１０の居住者によるものでないと判定した場合、すなわち施解錠装置における解錠要求が不審者によるものであると判定した場合には、コントローラ７５は、施解錠装置７３，７４を解錠することなく、今回のプログラムの実行を終了する。
【００６１】
ステップＳ１２では、コントローラ７５は、収納容器センサ７８，７９の検出信号に基づいて、解錠要求があった施解錠装置（施解錠装置７３又は施解錠装置７４）側に収納容器３０があるか否かを判定する。そして、コントローラ７５は、解錠要求があった施解錠装置側に収納容器３０があると判定すると、その施解錠装置（施解錠装置７３又は施解錠装置７４）を解錠する（ステップＳ１４参照）。一方、解錠要求があった施解錠装置（施解錠装置７３又は施解錠装置７４）側に収納容器３０がないと判定すると、コントローラ７５は容器駆動装置７１により解錠要求があった施解錠装置（施解錠装置７３又は施解錠装置７４）側に収納容器３０を移動させた上で（ステップＳ１３参照）、その施解錠装置（施解錠装置７３又は施解錠装置７４）を解錠する（ステップＳ１４参照）。
【００６２】
この施解錠装置の解錠処理によると、施解錠装置における解錠要求が建物１０の居住者によるものであるか否かを判定し（ステップＳ１１参照）、その解錠要求が建物１０の居住者によるものでないと判定した場合には、施解錠装置７３，７４を解錠しない。したがって、不審者が施解錠装置７３，７４の解錠要求をしたとしても、施解錠装置７３，７４は解錠されない。
【００６３】
また、建物１０の居住者による解除要求を受けて施解錠装置７３，７４を解錠する前に、その解錠要求があった施解錠装置（施解錠装置７３又は施解錠装置７４）側に収納容器３０があるか否かを判定し（ステップＳ１２参照）、解錠要求があった施解錠装置（施解錠装置７３又は施解錠装置７４）側に収納容器３０がない場合には、その施解錠装置側に収納容器３０を移動させた上で解錠要求があった施解錠装置（施解錠装置７３又は施解錠装置７４）を解錠する。したがって、施解錠装置７３，７４が解錠される前に、その施解錠装置７３，７４側に収納容器３０が移動する。
【００６４】
（収納容器の退避処理）
図１０に示すステップＳ２０では、コントローラ７５は、車両センサ７７の検出信号に基づいてガレージ１２内への車両８０の進入の有無を判定する。そして、コントローラ７５は、車両８０の進入ありと判定した場合にはステップＳ２１の処理に進み、車両８０の進入なしと判定した場合には今回のプログラム実行を終了する。
【００６５】
ステップＳ２１では、コントローラ７５は、収納容器センサ７９の検出信号に基づいて、収納容器３０が床下スペース２４内からガレージ１２側へ引き出されているか否かを判定する。そして、コントローラ７５は、収納容器３０がガレージ１２側へ引き出されていると判定した場合にはステップＳ２２の処理に進み、収納容器３０がガレージ１２側へ引き出されていないと判定した場合には今回のプログラム実行を終了する。
【００６６】
ステップＳ２２では、コントローラ７５は、収納容器３０を床下スペース２４内に退避させる。詳しくは、コントローラ７５は、容器駆動装置７１により収納容器３０を駆動させて、床下スペース２４内に収納容器３０を移動させる。そして、コントローラ７５は、レール駆動装置７２により可動レール５０を駆動させて、壁側開口部２８の扉２９を閉める。
【００６７】
この収納容器３０の退避処理によると、収納容器３０が床下スペース２４内からガレージ１２側へ引き出されていたとしても、車両８０のガレージ１２内への進入に伴って、収納容器３０が床下スペース２４内に退避される。
【００６８】
以上の構成により、以下に示す有利な効果が得られる。
【００６９】
施解錠装置７３，７４により解錠要求をした人物が建物１０の居住者でない場合、すなわち建物１０内に侵入した不審者である場合には施解錠装置７３，７４を解錠しないようにした。これにより、不審者による収納物の持ち出しや収納容器内への異物の投入などを防止し、防犯性を高めることができる。
【００７０】
また、解錠要求があった施解錠装置（施解錠装置７３又は施解錠装置７４）を解錠する前に、その施解錠装置側に収納容器３０を移動させた。これにより、解錠要求があった施解錠装置（施解錠装置７３又は施解錠装置７４）側の扉（扉２７又は扉２９）が開放された後に収納容器３０がその扉側に移動することを防止し、床下収納装置の安全性を高めることができる。
【００７１】
車両８０のガレージ１２内への進入に伴って、収納容器３０を床下スペース２４内に退避させた。これにより、収納容器３０と車両８０との衝突を回避することができる。
【００７２】
（他の実施形態）
本発明は上記第１及び第２の各実施形態の記載内容に限定されず、例えば次のように実施されてもよい。
【００７３】
・上記実施形態では、床側開口部２６及び壁側開口部２８の両開口部から収納容器３０内に収納物を出し入れ可能としたが、壁側開口部２８だけから収納容器３０内に収納物を出し入れ可能としてもよい。この場合、キッチン１１において収納容器３０内に収納物を出し入れすることはできない。しかしながら、この場合でも、床下スペース２４及びガレージ１２の壁側開口部２８周辺の空間を有効利用することができる。
【００７４】
・上記第１実施形態では、ガレージ１２において収納容器３０内に収納物を収め、収納容器３０を床下スペース２４に戻すと、その収納容器３０が床側開口部２６の下方まで自動的に移動し、キッチン１１において収納容器３０内から収納物を取り出せるようにした。しかしながら、これに限られず、キッチン１１において床側開口部２６から収納容器３０内に収納物を収めると、収納容器３０が壁側開口部２８まで自動的に移動し、ガレージ１２において収納容器３０内から収納物を取り出せるようにしてもよい。この場合、キッチン１１からガレージ１２へ荷物を運び出す労力を軽減することができる。
【００７５】
・上記第２実施形態では、扉の解錠要求をした人物が建物１０の居住者であるか否かを扉の解錠条件とした。しかしながら、これに限られず、扉の解錠条件として他の条件を加えてもよいし、他の条件を扉の解錠条件としてもよい。例えば、第１実施形態のように、ガレージ１２において収納容器３０内に収納物を収めて、キッチン１１において収納容器３０内の収納物を取り出す仕様の床下収納装置では、収納容器３０内に収納物があることを扉２７の解錠条件としてもよい。
【００７６】
・上記実施形態では、開き戸の扉２７，２９を例示したが、扉２７，２９は引き戸でもよい。
【００７７】
・上記実施形態では、壁側開口部２８に扉２９を設けた。しかしながら、壁側開口部２８に必ずしも扉を設けなくてもよい。この場合、収納容器３０のガレージ１２側の側面によって壁側開口部２８を閉鎖することが考えられる。詳しくは、収納容器３０のガレージ１２側の側面を壁側開口部２８よりも僅かに小さくする。そして、収納容器３０内に収納物を出し入れする場合を除き、収納容器３０のガレージ１２側の側面が内壁１３内で停止した状態を維持するように構成する。より詳細には、収納容器３０のガレージ１２側の側面が立ち上がり部１４ａのガレージ１２側の面とほぼ同一面上に位置するように、収納容器３０を移動及び停止させる。これにより、収納容器３０内に収納物を出し入れする場合を除き、収納容器３０のガレージ１２側の側面によって壁側開口部２８が閉鎖される。このように収納容器３０のガレージ１２側の側面によって壁側開口部２８を閉鎖するものであってもよい。
【００７８】
・上記実施形態では、内壁１３と、キッチン１１の床材２１と、キッチン１１床下の土間材２３とにより仕切られた床下スペース２４に床下収納装置を設けた。しかしながら、これに限られず、例えば、キッチン１１以外の屋内スペースである廊下やトイレや浴室などの床下に床下収納装置を設けてもよい。また、駐車スペースを屋外に設定し、その屋外駐車スペースと隣接する建物外壁に壁側開口部を形成し、屋外駐車スペースとの間で収納容器３０を移動させるようにしてもよい。
【００７９】
・ガイドレール３１の構成は上記実施形態のもの以外であってもよい。すなわち、固定レール４０の壁側開口部２８側の先端部分４０ａに設けられた可動レール５０が固定レール４０に対してその長手方向に相対移動し、可動レール５０が伸びた状態にて可動レール５０が床下スペース２４内からガレージ１２側に突出するものでもよい。
【００８０】
・上記実施形態では、建物１０に床側開口部２６及び壁側開口部２８を各１つ設けた。しかしながら、建物１０に床側開口部２６及び壁側開口部２８を複数設けて、各床側開口部２６の下方まで収納容器３０を案内しかつ各壁側開口部２８を介して床下スペース２４内及び床下スペース２４外に収納容器３０を案内するガイドレール３１を床下スペース内にそれぞれ設けてもよい。
【図面の簡単な説明】
【００８１】
【図１】第１実施形態の建物の概略構成を示す縦断面図。
【図２】同平面図。
【図３】同斜視図。
【図４】床下収納装置の縦断面図。
【図５】ガイドレールの斜視図。
【図６】壁側開口部近傍のガイドレールを示す平面図。
【図７】ガイドレールを示す側面図。
【図８】第２実施形態の建物の概略構成を示す平面図。
【図９】収納容器の退避処理を示すフローチャート。
【図１０】施解錠装置の解錠処理を示すフローチャート。
【符号の説明】
【００８２】
１０…建物、１１…キッチン（屋内スペース）、１２…ガレージ（駐車スペース）、１３…内壁（側壁部）、１４…基礎、１４ａ…立ち上がり部、２１…床材（床部）、２４…床下スペース、２５，７０…床下収納装置、２６…床側開口部、２７…扉、２８…壁側開口部、２９…扉（開閉手段）、３０…収納容器、３１…ガイドレール（ガイド部）、４０…固定レール（第１レール部）、５０…可動レール（第２レール部）、７１…容器駆動装置（駆動部）、７３…施解錠装置，７４…施解錠装置（施解錠部）、７５…建物用コントローラ（検出手段、駆動制御手段、受付手段、判定手段、解錠制御手段）、７６…スマートキー、７７…車両センサ。
【図１】
2009174194.tif 000003
【図２】
2009174194.tif 000004
【図３】
2009174194.tif 000005
【図４】
2009174194.tif 000006
【図５】
2009174194.tif 000007
【図６】
2009174194.tif 000008
【図７】
2009174194.tif 000009
【図８】
2009174194.tif 000010
【図９】
2009174194.tif 000011
【図１０】
2009174194.tif 000012